(57)【特許請求の範囲】
【請求項１】
前面が開口する断熱箱体の内部に形成された冷蔵室と、前記冷蔵室の下方に断熱仕切壁を介して形成された冷凍空間と、前記断熱箱体に設けられたヒンジ部に回動自在に取り付けられて前記冷蔵室の前面開口部を閉塞する冷蔵室扉と、を備え、
野菜を収納する野菜貯蔵空間が前記冷蔵室の内部のみに設けられ、
前記冷蔵室の内部は、天井仕切板と仕切板とにより上下方向に区画され、前記天井仕切板の上方に複数の載置棚を有する冷蔵貯蔵空間が設けられ、前記天井仕切板と前記仕切板との間に収納容器を配置する前記野菜貯蔵空間が設けられ、前記仕切板の下方に低温容器を配置する低温貯蔵空間が設けられ、
前記収納容器は、前記冷蔵室の全幅にわたって設けられた上面に開口する容器であって、前記天井仕切板より低い位置で終端する前壁を備え、前記冷蔵室扉の開閉動作と独立して前後方向に摺動可能に設けられ、前記野菜貯蔵空間に収納した状態で前記天井仕切板によって上面の開口が閉塞され、
仕切壁により前後に区画された収納ポケットが前記冷蔵室扉の内側に上下２段設けられ、前記上下２段の収納ポケットの上方に収納トレイが設けられ、前記収納ポケットの高さ方向の収納スペースが、前記収納トレイの高さ方向の収納スペースより大きいことを特徴とする冷蔵庫。
【請求項２】
最下段の収納ポケットの上端部が前記収納容器の前面下端部より上方に位置しており、前記冷蔵室扉の閉扉動作時に前記最下段の収納ポケットが前方に引き出された収納容器と接触可能であることを特徴とする請求項１に記載の冷蔵庫。
【発明の詳細な説明】
【技術分野】
【０００１】
本発明は、冷蔵室扉の内側にペットボトルなどの背の高い容器を収納する収納ポケットを備えた冷蔵庫に関する。
【背景技術】
【０００２】
冷蔵室の前面開口部を閉塞する扉には、上下の扉ヒンジ部に回動自在に取り付けられた回動式扉がある。従来より、かかる回動式の冷蔵室扉には、その庫内側に、食品等を収納するための棚状の収納ポケットが上下に複数段に設けられている（例えば、特許文献１参照）。
【０００３】
このような複数段の収納ポケットのうち最下段の収納ポケットは、内部を仕切壁によって前後に区画して、ペットボトルなどの背の高い容器を収納できるようになっているが、冷蔵室の高さ寸法上の制約から背の高い容器を収納する収納ポケットを上下に２段以上設けることが困難であり、冷蔵室内にペットボトルなどの背の高い容器を収納するスペースを十分に確保できないおそれがある。
【０００４】
もっとも、冷蔵室とは独立した野菜室に背の高い容器を収納することで収納スペースを確保することも考えられるが、野菜室は野菜室扉の開扉動作に伴って上面に開口する収納容器が引き出される引き出し式のものが多く、かかる冷蔵庫では、野菜室の収納容量を十分に確保する要請より、ペットボトルやビンなどの高さ寸法に比べて収納容器の深さ寸法が大きく設定されているため、収納容器に収納したペットボトルなど容器を大きく持ち上げなければならず取り出しにくいという問題がある。
【特許文献１】特開２００３−１８５３３４号
【発明の開示】
【発明が解決しようとする課題】
【０００５】
本発明は上記問題を考慮してなされたものであり、出し入れしやすい位置にペットボトルなどの背の高い容器の収納スペースを十分に確保することができる冷蔵庫を提供することを目的とする。
【課題を解決するための手段】
【０００６】
本発明の冷蔵庫は、前面が開口する断熱箱体の内部に形成された冷蔵室と、前記冷蔵室の下方に断熱仕切壁を介して形成された冷凍空間と、前記断熱箱体に設けられたヒンジ部に回動自在に取り付けられて前記冷蔵室の前面開口部を閉塞する冷蔵室扉と、を備え、野菜を収納する野菜貯蔵空間が前記冷蔵室の内部のみに設けられ、前記冷蔵室の内部は、天井仕切板と仕切板とにより上下方向に区画され、前記天井仕切板の上方に複数の載置棚を有する冷蔵貯蔵空間が設けられ、前記天井仕切板と前記仕切板との間に収納容器を配置する前記野菜貯蔵空間が設けられ、前記仕切板の下方に低温容器を配置する低温貯蔵空間が設けられ、前記収納容器は、前記冷蔵室の全幅にわたって設けられた上面に開口する容器であって、前記天井仕切板より低い位置で終端する前壁を備え、前記冷蔵室扉の開閉動作と独立して前後方向に摺動可能に設けられ、前記野菜貯蔵空間に収納した状態で前記天井仕切板によって上面の開口が閉塞され、仕切壁により前後に区画された収納ポケットが前記冷蔵室扉の内側に上下２段設けられ、前記上下２段の収納ポケットの上方に収納トレイが設けられ、前記収納ポケットの高さ方向の収納スペースが、前記収納トレイの高さ方向の収納スペースより大きいことを特徴とする。
【発明の効果】
【０００７】
本発明では、冷蔵室内に野菜を収納する野菜貯蔵空間を設けることで、野菜室を設ける必要がなくなり冷蔵室の高さ寸法を大きく取ることができるため、冷蔵室扉の内側に仕切壁により前後に区画され収納ポケットを上下に背の高い容器を収納可能な間隔をあけて複数段設けることができ、出し入れしやすい位置に背の高い容器の収納スペースを十分に確保することができる。
【発明を実施するための最良の形態】
【０００８】
以下、図面に基づき本発明の１実施形態について説明する。以下、本発明の１実施形態につき図面を参照して説明する。図１は本実施形態に係る冷蔵庫１の外観斜視図であり、図２は冷蔵庫１の冷蔵室扉を開扉した状態を示す斜視図、図３は冷蔵庫１の縦断面図である。
【０００９】
冷蔵庫１０は、外箱１２と内箱１４との間に発泡断熱材１６を充填して断熱箱体１７を形成し、貯蔵室内部を断熱仕切壁１８によって上部の冷蔵室２０と下部の冷凍空間８０とに区画している。
【００１０】
冷蔵室２０内部は、さらに載置棚を兼ねた天井仕切板２２及び仕切板２３によって上下に３つの空間に区画され、上部空間を複数段の載置棚２４を設けた冷蔵貯蔵空間２６とし、中部空間を引き出し式の野菜容器２８を配置する野菜貯蔵空間３０とし、下部空間を内部が−３〜０℃程度に冷却される低温容器３２を配置する低温貯蔵空間３４としており、野菜を収納する野菜容器２８を冷蔵室２０内に配設したことで、本実施形態では、例えば、冷蔵室２０の高さ寸法が９００ｍｍ程度に設定されている。
【００１１】
野菜容器２８は、立ち上がり高さの低い前壁２８ａと周壁とから上面を開放した容器であり、冷蔵室２０の両側壁内側に取り付けられた一対のスライドレール（不図示）に載置されることで、前後方向に摺動可能として引き出し自在な構成としている。
【００１２】
そして、前記野菜容器２８を冷蔵室２０内の所定の位置に収納し設置した場合には、その上面に配置した天井仕切板２２によって上面が閉塞され、野菜容器２８の前壁２８ａと天井仕切板２２の前縁で形成される開口部には、野菜容器２８の前後移動に連動して前記開口部を開閉するとともに、手動にてもその開閉ができ、あるいは常時開状態を維持することができる蓋体３６を配設している。また、野菜容器２８の一側部にはバスケット状の小物容器３８を備えており、野菜容器２８の左側壁内面に形成したレールにより片持梁で前後方向にスライド可能に保持されている。
【００１３】
冷蔵室２０の前面開口部は、断熱箱体１７に設けられたヒンジ部４０，４０に回動自在に取り付けられた左右の冷蔵室扉４２，４２によって観音開き方式で閉塞されており、左右両方の冷蔵室扉４２，４２の扉内側、すなわち扉背面には、上方に食品などを収納するための棚状の収納トレイ４４，４５が上下に２段配設され、その下方にペットボトルやビンなど背の高い容器を収納する収納ポケット４６，４７が上下に２段配設されている。
【００１４】
詳細には、上２段の収納トレイ４４，４５及び下２段の収納ポケット４６，４７は、左右の冷蔵室扉４２，４２のそれぞれに扉の略全幅にわたって形成されており、扉スロート部を形成するために扉内側材４８の両端部に設けられた左右の突条５０，５０の間に掛け渡すように取り付けられている。
【００１５】
収納ポケット４６及び収納ポケット４７は、その上方に配設される収納トレイ４５及び収納ポケット４６との間隔が大きく、高さ方向の収納スペースが大きく確保されており、ペットボトルやビンなどの背の高い容器を収納できるようになっている。
【００１６】
また、収納トレイ４４，４５及び収納ポケット４６，４７には、扉開閉時に収納物が落下するのを防止するための後壁４４ａ，４５ａ，４６ａ，４７ａが全幅にわたって立設されており、収納ポケット４６，４７の内部は冷蔵庫扉４２の幅方向に延びる仕切壁４６ｂ，４７ｂによって前後に区画され、各収納ポケット４６，４７にはペットボトルやビンなどの背の高い容器を前後２列に並べて収納できるようになっている。
【００１７】
下２段の収納ポケット４６，４７の後壁４６ａ，４７ａは、上２段の収納トレイ４４，４５の後壁４４ａ，４５ａより高く設けられており、下２段の収納ポケット４６，４７はペットボトルやビンなどの背の高い容器を安定して収納することができる。
【００１８】
また、最下段の収納ポケット４７は、その後壁４７ａ上端部が野菜容器２８の前壁２８ａ下端部より上方に位置するように冷蔵庫扉４２に配設されている。これにより、野菜容器２８が引き出された状態であっても、冷蔵庫扉４２，４２を閉扉することで最下段の収納ポケット４７の後壁４７ａが野菜容器２８の前壁２８ａと当接し、野菜容器２８を野菜貯蔵空間３０に押し込むことができる。
【００１９】
冷蔵室２０の下部に設けられた冷凍空間８０には、断熱仕切壁１８の直下において、自動製氷装置を備えた製氷室８２と室内温度を切換設定することができる温度切替室８４とが左右に併設されており、製氷室８２及び温度切替室８４の下部に冷凍室８６が設けられている。製氷室８２、温度切替室８４、及び冷凍室８６は、いずれも引き出し式扉によって前面開口部が閉塞されており、内部に配設された収納容器８８，８９が開扉動作に連動して引き出されるようになっている。
【００２０】
そして、冷蔵室２０および冷凍空間８０のそれぞれの背面部には、冷蔵用冷却器７０及び冷凍用冷却器７１と各冷却器に対応するファン７２，７３とをそれぞれ配設し、各冷却器７０，７１で生成された冷気をファン７２，７３によりダクトを介してそれぞれの貯蔵室内に導入しこれを冷却するようにしている。
【００２１】
冷蔵冷却器７０及び冷凍冷却器７１は、冷蔵庫１０の下部に設けた圧縮機７４の吐出側からの冷媒を、特に図示しない冷凍サイクルにより交互に導いて冷却されるものであり、熱交換により低温化された冷気をファン７２で冷蔵室２０内に吐出することによって、冷蔵貯蔵空間２６と野菜貯蔵空間３０を適温に冷却する。また、冷蔵用冷却器７０から冷気の一部を低温貯蔵空間３４内に直接導入して、これより上方の冷蔵貯蔵空間２６と野菜貯蔵空間３０より低温に冷却するものである。
【００２２】
また、冷凍運転になると、冷媒は冷凍用冷却器７１に直接導入されて低い蒸発温度で蒸発し、熱交換により低温−２０℃以下の低温となった冷気をファン７３で冷凍空間８０である冷凍室８６や製氷室８２などに導入し、強制循環させることによって各室を所定温度に冷却するように制御する。
【００２３】
制御装置は、冷蔵室２０内の温度と、冷凍空間８０、主に冷凍室８６の温度とを比較して圧縮機７４、各ファン７２，７３の運転を行う。また、冷蔵運転と冷凍運転との切り替えは、冷却中の各室内温度が所定温度、例えば、冷蔵室温度センサの検知温度が０℃、冷凍室温度センサの検知温度が−２０℃に達するか、あるいは、冷却運転時間が所定時間、例えば冷蔵運転が１５分〜２０分、冷凍運転が３０分〜４０分が経過すると三方弁を動作させて他方の冷却運転に切り替え、交互に運転するように制御している。
【００２４】
冷凍運転においては冷蔵用冷却器７０に冷媒は流れないが、ファン７２を回転させるようにしており、着霜状態にあることからその表面温度は−３℃程度である冷蔵用冷却器７０に冷蔵室内冷気を流下させることで、０℃以上の空気の循環によって冷却器に付着している霜を融かし、同時に霜の融解による水分を多く含んだ高湿低温の冷気を冷蔵貯蔵空間２６から野菜貯蔵空間３０内に流入させるようにしている。
【００２５】
これにより、野菜貯蔵空間３０に配設された野菜容器２８内温度は２℃程度まで冷却されることになり、平均的には４℃を保持することができるとともに、加湿冷気が流入することで冷蔵貯蔵空間２６および野菜容器２８内の湿度は８０％程度に高くなる。さらに野菜を収納することにより、その蒸散作用によってさらに湿度は上昇し、９０〜９５％となることから、野菜容器２８は、その蓋体３６を開放した状態のままでも野菜容器８内の野菜が乾燥しない雰囲気を保持することができる。
【００２６】
以上のように、本実施形態に係る冷蔵庫１０では、野菜を収納するために冷蔵室２０とは別個の部屋を設けることなく、冷蔵室２０内に野菜を収納する野菜容器２８を配置することで、冷蔵室２０の高さ寸法を大きくし冷蔵室扉４０の高さ寸法も大きくすることで、収納ポケット４６，４７において高さ方向の収納スペースを大きく確保しつつ上下に複数２段にわたって配置させることが可能となる。そのため、従来であれば、背の高い容器の収納スペースを広く確保するために冷蔵室とは独立した野菜室の引き出し式収納容器に背の高い容器を収納すると、背の高い容器を大きく持ち上げて出し入れしなければならず取り出しにくいものとなるが、本実施形態では、冷蔵庫扉４２の内側に複数段の収納ポケット４６，４７が配設されており、出し入れしやすい位置に多数の背の高い容器を収納することができ、使い勝手に優れている。
【図面の簡単な説明】
【００２７】
【図１】本発明の１実施形態に係る冷蔵庫の外観斜視図である。
【図２】本発明の１実施形態に係る冷蔵庫の冷蔵室扉を開扉した状態を示す斜視図である。
【図３】本発明の１実施形態に係る冷蔵庫の縦断面図である。
【符号の説明】
【００２８】
１０…冷蔵庫    １７…断熱箱体
２０…冷蔵室    ２６…冷蔵貯蔵空間
２８…野菜容器    ２８ａ…前壁
３０…野菜貯蔵空間   ４０…ヒンジ部
４２…冷蔵室扉    ４６，４７…収納ポケット
４６ａ，４７ａ…後壁  ４６ｂ，４７ｂ…仕切板
【図１】
0004820787.tif 000002
【図２】
0004820787.tif 000003
【図３】
0004820787.tif 000004